(57)【要約】【課題】ドレーン管が閉塞したことが屋根の上に上がらなくてもわかる屋根の排水構造を提供する。【解決手段】屋根２０の上面に排水口を有するドレーン管４１とともに、側壁３０の屋根２０側の面に流入孔を有するオーバーフロー管４３を設けた排水構造である。屋根２０の上に降った雨水は通常、屋根２０に埋設されたドレーン管４１から排水されるが、ドレーン管４１が閉塞したときは、側壁３０に埋設されたオーバーフロー管４３から排水される。このため、オーバーフロー管４３を見ることでドレーン管４１が閉塞しているか否かを知ることができる。また、ドレーン管４１が閉塞した場合でも、雨水がオーバーフロー管４３から排水されるので、側壁３０で囲まれた屋根２０の上に雨水が必要以上に溜まることがない。【選択図】図１
2005264539.tif 000002
【特許請求の範囲】
【請求項１】
外周に側壁が設けられた屋根の排水構造であって、屋根の上面に排水口を有するドレーン管と、側壁の屋根側の面に流入孔を有するオーバーフロー管とからなることを特徴とする屋根の排水構造。
【請求項２】
前記オーバーフロー管に流入した水が流出する流出口は側壁の外周面に設けられていることを特徴とする請求項１に記載の屋根の排水構造。
【請求項３】
１本の前記ドレーン管に対して１本の前記オーバーフロー管が設けられていることを特徴とする請求項１または２に記載の屋根の排水構造。
【請求項４】
各オーバーフロー管は各ドレーン管の直近位置に設けられていることを特徴とする請求項３に記載の屋根の排水構造。
【請求項５】
前記オーバーフロー管は前記排水口よりも１５〜２５ｃｍ上部に設けられていることを特徴とする請求項１〜４のいずれか一項に記載の屋根の排水構造。
【発明の詳細な説明】
【技術分野】
【０００１】
本発明は、外周を側壁で囲まれた屋根の排水構造に関する。
【背景技術】
【０００２】
例えばベランダ、バルコニーや屋上等の、屋根の縁に側壁が設けられた構造における、雨水等を排水する排水構造としては、屋根の上面に排水口を有するドレーン管を埋設するものが一般的である。また、側壁の屋根と近接する位置に水平方向に貫通孔を設け、当該貫通孔から雨水等を排水するものもある（特許文献１参照）。
【特許文献１】特許第３０４５６７５号明細書
【発明の開示】
【発明が解決しようとする課題】
【０００３】
上記の排水構造では、ドレーン管や貫通孔が落ち葉等により閉塞することがある。ベランダやバルコニーの場合には、ドレーン管や貫通孔が閉塞して雨水等の排水が溜まることを目視で確認することができ、直ちに閉塞物を除去することができる。
【０００４】
しかし、屋根の外周部が側壁で囲まれている場合には、階下からドレーン管が閉塞したことを確認することができなかった。また、屋根に上がり、屋根の上から目視で確認することは、一般の家屋では困難である。
【０００５】
また、側壁に貫通孔を設けた場合には、降雨時に貫通孔から排水されなくなることで貫通孔が閉塞したことがわかる。しかし、オーバーフロー管が閉塞していない時には、降雨時に常にオーバーフロー管から排水されることとなり、見た目が悪いことに加え、直下の外壁面に水が流れた跡が汚れとして残る問題もある。
【０００６】
本発明の課題は、ドレーン管が閉塞したことが屋根の上に上がらなくてもわかる屋根の排水構造を提供することである。
【課題を解決するための手段】
【０００７】
以上の課題を解決するため、請求項１に記載の発明は、図１に示すように、外周に側壁３０が設けられた屋根の排水構造であって、屋根２０の上面に排水口を有するドレーン管４１と、側壁３０の屋根２０側の面に流入孔を有するオーバーフロー管４３とからなることを特徴とする。
【０００８】
請求項１に記載の発明によれば、屋根２０の上面に排水口を有するドレーン管４１とともに、側壁３０の屋根２０側の面に流入孔を有するオーバーフロー管４３を設けたため、屋根２０の上に降った雨水は通常、屋根２０に埋設されたドレーン管４１から排水され、ドレーン管４１が閉塞したときは、側壁３０に埋設されたオーバーフロー管４３から排水される。このため、オーバーフロー管４３を見ることでドレーン管４１が閉塞しているか否かを知ることができる。また、ドレーン管４１が閉塞した場合でも、雨水がオーバーフロー管４３から排水されるので、側壁３０で囲まれた屋根２０の上に雨水が必要以上に溜まることがない。
【０００９】
請求項２に記載の発明は、請求項１に記載の屋根の排水構造であって、前記オーバーフロー管４３に流入した水が流出する流出口は側壁３０の外周面に設けられていることを特徴とする。
【００１０】
請求項２に記載の発明によれば、オーバーフロー管４３に流入した水が流出する流出口を側壁３０の外周面に設けることで、流出口を屋外から容易に観察することができ、オーバーフロー管４３から流出する水を屋外から目視で観察してドレーン管４１が閉塞したことを知ることができる。
【００１１】
請求項３に記載の発明は、請求項１または２に記載の屋根の排水構造であって、１本の前記ドレーン管４１に対して１本の前記オーバーフロー管４３が設けられていることを特徴とする。
【００１２】
請求項３に記載の発明によれば、１本のドレーン管４１に対して１本のオーバーフロー管４３を設けることで、いずれかのドレーン管４１が閉塞したときには、対応するオーバーフロー管４３から排水されるため、どのドレーン管４１が閉塞したかを直ちに知ることができる。
【００１３】
請求項４に記載の発明は、請求項３に記載の屋根の排水構造であって、各オーバーフロー管４３は各ドレーン管４１の直近位置に設けられていることを特徴とする。
【００１４】
請求項４に記載の発明によれば、各オーバーフロー管４３を各ドレーン管４１の直近位置に設けることで、オーバーフロー管４３から排水されたときに、閉塞したドレーン管４１の位置を直ちに知ることができる。
【００１５】
請求項５に記載の発明は、請求項１〜４のいずれか一項に記載の屋根の排水構造であって、前記オーバーフロー管４３は前記排水口よりも１５〜２５ｃｍ上部に設けられていることを特徴とする。
【００１６】
請求項５に記載の発明によれば、オーバーフロー管４３を排水口よりも１５〜２５ｃｍ上部に設けることで、ドレーン管４１の排水能力を超える降水量の時にも、直ちにオーバーフロー管４３から雨水が流出することがない。
【発明の効果】
【００１７】
本発明によれば、屋根の上面に排水口を有するドレーン管とともに、側壁の屋根側の面に流入孔を有するオーバーフロー管を設けたため、屋根上に降った雨水は通常、屋根に埋設されたドレーン管から排水され、ドレーン管が閉塞したときは、側壁に埋設されたオーバーフロー管から排水される。このため、オーバーフロー管を見ることでドレーン管が閉塞しているか否かを知ることができる。また、ドレーン管が閉塞した場合でも、雨水がオーバーフロー管から排水されるので、側壁で囲まれた屋根の上に雨水が必要以上に溜まることがない。
【００１８】
また、オーバーフロー管に流入した水が流出する流出口を側壁の外周面に設けることで、流出口を屋外から容易に観察することができ、オーバーフロー管から流出する水を屋外から目視で観察してドレーン管が閉塞したことを知ることができる。
【００１９】
さらに、１本のドレーン管に対して１本のオーバーフロー管を設けることで、いずれかのドレーン管が閉塞したときには、対応するオーバーフロー管から排水されるため、どのドレーン管が閉塞したかを直ちに知ることができる。
【００２０】
特に、各オーバーフロー管を各ドレーン管の直近位置に設けることで、オーバーフロー管から排水されたときに、閉塞したドレーン管の位置を直ちに知ることができる。
【００２１】
また、オーバーフロー管を排水口よりも１５〜２５ｃｍ上部に設けることで、ドレーン管の排水能力を超える降水量の時にも、直ちにオーバーフロー管から雨水が流出することがなくなり、ドレーン管が閉塞しているか否かを見極めることができる。
【発明を実施するための最良の形態】
【００２２】
以下、本発明の実施の形態について詳細に説明する。図１は本発明の屋根の排水構造が設けられた建物の屋上部分を示す鉛直断面図である。なお、この建物は、矩形の枠材に面材を接合してパネル材を形成し、パネル材からなる壁材や床材を組み立てて建物躯体を形成するパネル工法により形成されている。
【００２３】
図１において、建物の外壁１０を構成する壁パネル１１の内壁面の上端には、屋根支持材１２が取り付けられている。屋根支持材１２は屋根パネル２１を支持している。また、壁パネル１１の上端には、側壁パネル３１が接続されている。
【００２４】
屋根パネル２１の側壁３０側の端部の枠材には、図示しない切欠きが設けられている。切欠きは、屋根裏換気をするための換気路となる。
屋根パネル２１と側壁パネル３１との間には、桁材２２が設けられている。桁材２２は、屋根パネル２１が受ける水平方向の力を側壁パネル３１へ伝達する。
【００２５】
側壁パネル３１の下部の、屋根パネル２１の切欠きと対向する内周面には、換気穴３２が設けられている。なお、桁材２２は屋根パネル２１の切欠きと、側壁パネル３１の換気穴３２との間には設けられないため、屋根裏換気をするための換気路が確保される。
【００２６】
また、側壁パネル３１の外周面の上部には、換気スリット３３が設けられている。換気スリット３３には、雨水の浸入を防ぐスリット部材３４が設けられている。屋根裏の空気は、屋根パネル２１の切欠き、側壁パネル３１の換気穴３２、及び換気スリット３３を通じて排気することができる。
【００２７】
屋根パネル２１の上面の側壁３０に沿った部分には、樋先調整材２３が敷設されている。樋先調整材２３は、上部に敷設される合板２４６の傾斜を調整し、側壁３０に向かって下方向に傾斜した屋根２０の側壁３０に沿った部分に、水が溜まらないように高くしている。
屋根パネル２１の上面及び樋先調整材２３の上部には、合板２４６が敷設されている。合板２４６は屋根パネル２１を屋根２０が受ける荷重から保護している。
【００２８】
また、側壁パネル３１の上端から内周面、合板２４６の上面にかけて、防水シート２５ａが貼り付けられている。同様に、側壁パネル３１の上端から外周面、壁パネル１１の外壁１０面にかけても、防水シート２５ｂが貼り付けられている。ここで、防水シート２５ａ、２５ｂとしては、塩化ビニルシートや、日東電工株式会社製の全天シート（登録商標）等を用いることができる。
【００２９】
側壁パネル３１の外周面、及び壁パネル１１の外壁１０面に貼り付けられた防水シート２５ｂの外側には、外壁材３６を固定する胴縁材３５が設けられ、胴縁材３５により外壁材３６が固定されている。また、側壁パネル３１の上端には、外壁材３６と防水シート２５ｂとの間に水が浸入するのを防ぐ笠木３７が取り付けられている。換気スリット３３から排気された空気は、外壁材３６と笠木３７との間、または側壁パネル３１の内周面に貼り付けられた防水シート２５ａと笠木３７との間から放出される。
【００３０】
屋根パネル２１、軒先調整材、合板２４６、及び防水シート２５ａからなる屋根２０には、ドレーン管４１が埋設されている。ドレーン管４１の上端には排水口が設けられている。排水口の外周部は防水シート７と水密に接合されている。また、ドレーン管４１の上端には、ドレーン管４１内部へのゴミの流入を防ぐルーフドレーン４２が設けられている。
【００３１】
なお、ドレーン管４１の内径は７５ｍｍ以上であることが好ましい。ドレーン管４１の内径が７５ｍｍ以上であると、ドレーン管４１と屋根２０の表面の防水シート２５ａとの接合部が経年劣化し、漏水が生じた場合にも、ドレーン管４１内部に外径７５ｍｍ以下（例えば５０ｍｍ）の代替ドレーン管４１を挿入し、代替ドレーン管４１と防水シート２５ａとを接合することで、屋根２０に埋設したドレーン管４１を撤去せずに容易に漏水を防ぐことができる。
【００３２】
ドレーン管４１は屋根２０裏でほぼ直角に屈曲し、壁パネル１１、防水シート２５ｂ及び外壁材３６を貫通し、外壁材３６の外側に取り付けられた竪樋４５に連通している。屋根２０の上に降った雨水は、ルーフドレーン４２からドレーン管４１に流入し、竪樋４５を通じて排水される。
【００３３】
また、防水シート２５ａ、２５ｂ、側壁パネル３１、及び外壁材３６からなる側壁３０には、オーバーフロー管４３が埋設されている。オーバーフロー管４３は側壁３０を貫通しており、側壁３０の屋根２０側の内周面に流入口が設けられている。流入口の外周部は防水シート７と水密に接合されている。
【００３４】
側壁３０の外周面に設けられたオーバーフロー管４３の端部は流出口となっている。流出口にはオーバーフロー管キャップ４４が取り付けられている。オーバーフロー管キャップ４４は、外壁材３６とオーバーフロー管４３とを水密に接合する。オーバーフロー管４３の排出口は側壁３０の外周面に設けられているため、屋外から容易に観察することができる。
【００３５】
上記の排水構造では、屋根２０の上に降った雨水は通常、屋根２０に埋設されたドレーン管４１から排水される。しかし、ドレーン管４１が閉塞したときは、側壁３０に埋設されたオーバーフロー管４３から排水される。
【００３６】
ドレーン管４１が閉塞して水位がオーバーフロー管４３の流入口の位置に達している場合には、雨が降り始めてからすぐにオーバーフロー管４３から雨水が流出するため、ドレーン管４１が閉塞しているか否かを見極めることができる。また、ドレーン管４１が閉塞した場合でも、雨水がオーバーフロー管４３から排水されるので、側壁３０で囲まれた屋根２０の上に雨水が必要以上に溜まることがない。
【００３７】
なお、オーバーフロー管４３はドレーン管４１の排水口よりも５〜３０ｃｍ上部に設けられていることが望ましく、１５〜２５ｃｍ上部に設けられていることがより好ましい。オーバーフロー管４３が排水口よりも５〜３０ｃｍ上部に設けられている場合には、ドレーン管４１の排水能力を超える降水量の時にも、直ちにオーバーフロー管４３から雨水が流出することがない。一方、３０ｃｍ以上高い位置に設けた場合には、ドレーン管４１の排水能力を超える降水量の時や、ドレーン管４１が閉塞した時に、多量の雨水が溜まってしまい、好ましくない。
【００３８】
また、オーバーフロー管４３は、１本のドレーン管４１に対して１本ずつ設けることが好ましい。１本のドレーン管４１に対してオーバーフロー管４３を１本設けることで、オーバーフロー管４３から排水される様子を見てどのドレーン管４１が閉塞されているかを見分けることができる。
【００３９】
また、オーバーフロー管４３は、ドレーン管４１の近位置に設けることが好ましい。オーバーフロー管４３とドレーン管４１とが離れた位置にあると、屋根２０に登らないとドレーン管４１の位置がわからないが、一般の家屋は屋根２０に登ることが困難である。オーバーフロー管４３が、ドレーン管４１の近位置に設けられていると、オーバーフロー管４３から排水されたときに、閉塞したドレーン管４１の位置を直ちに知ることができる。
【００４０】
なお以上の実施の形態においては、オーバーフロー管４３が側壁パネル３１を鉛直に貫通する構造としたが、側壁パネル３１の内部で屈曲していてもよい。また、ドレーン管４１が屋根裏で屈曲し、外壁１０を貫通して竪樋４５に接続する構造としたが、外壁１０を貫通させなくともよい。その他具体的な細部構造についても適宜変更可能であることはもちろんである。
【図面の簡単な説明】
【００４１】
【図１】本発明の屋根の排水構造を示す鉛直断面図である。
【符号の説明】
【００４２】
２０   屋根
３０   側壁
４１   ドレーン管
４３   オーバーフロー管
【図１】
2005264539.tif 000003